(57)【要約】      （修正有）【課題】電子カードを挿入しているとき、電流の流れがスムーズになるフック式スイッチ付き電子カードコネクタを提供する。【解決手段】本体１０と、第一接続端子と、第二接続端子３０と、第三接続端子４０と、第一スイッチ端子５０と、第二スイッチ端子６０と、を備える。第一スイッチ端子５０の第一端５０ａは、回路板の第一接点と連接している第一接続端子に常時係っており、また、第二スイッチ端子６０の第一端６０ａは、回路板の第二接点と連接している第二接続端子３０に常時係っており、電子カードＣを挿入しているときには、第一スイッチ端子５０の第一端５０ａと、第二スイッチ端子６０の第一端６０ａとが上がらずに第一接続端子と第二接続端子３０とにそれぞれ安定して係っており、電流の流れがスムーズになる。【選択図】図７
0003148091.tif 000002
【実用新案登録請求の範囲】
【請求項１】
本体と、第一接続端子と、第二接続端子と、第三接続端子と、第一スイッチ端子と、第二スイッチ端子と、を備えるフック式スイッチ付きの電子カードコネクタにおいて、
前記本体は、電子カード差込穴が開設されており、多数の端子が嵌合されており、
前記第一接続端子は、前記本体内に設けられ、回路板の第一接点と連接しており、係り穴が開設されており、
前記第二接続端子は、前記本体内に設けられ、回路板の第二接点と連接しており、係り穴が開設されており、
前記第三接続端子は、前記本体内に設けられ、回路板の第三接点と連接しており、ラップ部が設けられており、
前記第一スイッチ端子は、その中段が前記本体に固定されており、その第一端にはフック付き板が設けられており、前記フック付き板は、弾性を有し、前記第一接続端子の係り穴に係っており、また、その第一スイッチ端子の第二端は、電子カードの挿入経路に位置し、前記第二接続端子に対向しており、前記第二接続端子と常には接触せず、
前記第二スイッチ端子は、その中段が前記本体に固定されており、その第一端にはフック付き板部が設けられており、前記フック付き板部は、弾性を有し、前記第二接続端子の係り穴に係っており、また、その第二スイッチ端子の第二端は、電子カードの挿入経路に位置し、前記第三接続端子のラップ部に対向しており、前記第三接続端子と常には接触せず、前記本体の電子カード差込穴に電子カードを差込んでいるときには、前記第一スイッチ端子の第二端が圧迫されて前記第二接続端子にラップし、且つ前記第二スイッチ端子の第二端が第三接続端子にラップし、このように、回路板の第一接点と第二接点と第三接点とが電気的に連通することを特徴とする電子カードコネクタ。
【請求項２】
前記第一スイッチ端子の中段には、前記本体に挿入して前記本体に係止されるための係り片部が凸設されていることを特徴とする請求項１に記載の電子カードコネクタ。
【請求項３】
前記第一スイッチ端子の係り片部の側縁には、戻り止めが凸設されていることを特徴とする請求項２に記載の電子カードコネクタ。
【請求項４】
前記第二スイッチ端子の中段には、前記本体に挿入して前記本体に係止されるための係り片部が凸設されていることを特徴とする請求項１に記載の電子カードコネクタ。
【請求項５】
前記第二スイッチ端子の前記係り片部の側縁には、戻り止めが凸設されていることを特徴とする請求項４に記載の電子カードコネクタ。
【請求項６】
前記第二接続端子には弾性アームが設けられており、前記弾性アームは、前記第一スイッチ端子の第二端に常時近接しており、常には前記第一スイッチ端子の第二端と接触せず、前記第一スイッチ端子は、挿入されている電子カードに圧迫されて前記第二接続端子へ変位しているときに、前記第一スイッチ端子の第二端が前記第二接続端子の前記弾性アームに押付けられていることを特徴とする請求項１に記載の電子カードコネクタ。
【請求項７】
前記第三接続端子の前記ラップ板部は、宙に浮いている弾性アームであり、前記第二スイッチ端子の第二端に常時近接しており、常には前記第二スイッチ端子の第二端と接触せず、前記第二スイッチ端子は、挿入されている電子カードに圧迫されて前記第三接続端子へ変位しているときに、前記第二スイッチ端子の第二端が前記第三接続端子の前記ラップ板部に押付けられていることを特徴とする請求項１に記載の電子カードコネクタ。
【請求項８】
前記第一スイッチ端子の前記フック付き板には、底縁から溝が開設されていることを特徴とする請求項１に記載の電子カードコネクタ。
【請求項９】
前記第二スイッチ端子の前記フック付き板部には、底縁から溝が開設されていることを特徴とする請求項１に記載の電子カードコネクタ。
【考案の詳細な説明】
【技術分野】
【０００１】
本考案は、電子カードコネクタに関し、特に、電子カードを挿入しているときには、第一スイッチ端子と第二スイッチ端子との第一端が上に上がらず、第一接続端子と第二接続端子とに安定してラップして、電流の流動がスムーズになるフック式スイッチ付き電子カードコネクタに関する。
【背景技術】
【０００２】
図９及び図１０に示すように、従来のスイッチ付き電子カードコネクタは、樹脂本体９１と、鉄製ケース９２と、多数の導電性付き端子９３と、第一スイッチ本体９４と、第二スイッチ本体９５と、から構成され、第一スイッチ本体９４と第二スイッチ本体９５とは、それぞれ樹脂本体９１の側縁に枢着されており、且つそれぞれバネ９６、９７に付勢されており、これにより、第一スイッチ本体９４と第二スイッチ本体９５との第二端は、樹脂本体９１に設けられた第一接続端子９８と第二接続端子９９とからそれぞれ離間しており、電子カードコネクタにメモリカード又は他の電子カードを挿入しているときには、第一スイッチ本体９４と第二スイッチ本体９５との第二端９４１、９５１は、圧迫されて下に変位して第一接続端子９８と第二接続端子９９とにラップして、第一接続端子９８と第二接続端子９９とが電気的に連通するようになる。
【０００３】
しかしながら、これは次のような欠点があった。
（１）従来の電子カードコネクタの第一スイッチ本体９４と第二スイッチ本体９５とのバネ９６、９７は捻じりバネであるので、寸法が小さく、高い精度が要求され、そうすると、加工が困難で、且つ捻じりバネの製品寿命及び信頼性も高くならない。
（２）従来の電子カードコネクタの第一スイッチ本体９４と第二スイッチ本体９５とは、それぞれ一つのバネ９６、９７が必要であるので、部品の点数が４個になり、組付けている際には、第一スイッチ本体９４と第二スイッチ本体９５とバネ９６、９７との寸法が小さいので、組立作業が困難になり、組立作業の工数が増加し、そして組立てた後に、バネ９６、９７が離脱し易い。
【０００４】
よって、本考案の出願者は、図１１から図１３に示すようなスイッチ付き電子カードコネクタを提案した。これは、本体８１と、第一接続端子８２と、第二接続端子８３と、第三接続端子８４と、第一スイッチ端子８５と、第二スイッチ端子８６と、を備える。第一接続端子８２は、本体８１内に設けられており、回路板Ｐの第一接点Ｐ１と電気的に連接しており、第二接続端子８３は、本体８１内に設けられており、回路板Ｐの第二接点Ｐ２と電気的に連接しており、第三接続端子８４は、本体８１内に設けられており、回路板Ｐの第三接点Ｐ３と電気的に連接しており、第一スイッチ端子８５は、本体８１内に設けられており、その第一端８５１が常時第一接続端子８２とラップしており、また、その第二端８５２は、電子カードＣの差込経路に位置し、第二接続端子８３と接触せずに第二接続端子８３に対向しており、第二スイッチ端子８６は、本体８１内に設けられており、その第一端８６１が常時第二接続端子８３とラップしており、また、その第二端８６２は、電子カードＣの差込経路に位置し、第二接続端子８４と接触せずに第二接続端子８４に対向しており、本体８１に電子カードＣを挿入しているときには、第一スイッチ端子８５の第二端８５２が圧迫されて第二接続端子８３とラップし、且つ第二スイッチ端子８６の第二端８６２が圧迫されて第三接続端子８４とラップし、そうすると、回路板Ｐにおいて、第一接点Ｐ１と第二接点Ｐ２と第三接点Ｐ３とが電気的に連通するようになり、これにより、電子カードコネクタと電子カードＣとの接続が完成したと判定することができ、このとき、挿入された電子カードＣに記憶された資料を読取ることができる。
【０００５】
しかしながら、上記の電子カードコネクタは、図１３に示すように、電子カードＣを挿入しているときには、電子カードＣが第一スイッチ端子８５の第二端８５２と第二スイッチ端子８６の第二端８６２とを圧迫して、第一スイッチ端子８５と第二スイッチ端子８６とは、中段を支点として第一端８５１、８６１が上に上げられ、図１２の破線に示すように、第一スイッチ端子８５の第一端８５１は第一接続端子８２と確実にラップすることができず、これにより、回路板Ｐにおいて、第一接点Ｐ１と第二接点Ｐ２と第三接点Ｐ３とが電気的に連通することができず、電子カードコネクタは正常に使用することができない。
【考案の開示】
【考案が解決しようとする課題】
【０００６】
本考案の主な目的は、電子カードを挿入しているときには、第一スイッチ端子と第二スイッチ端子との第一端が上に上がらず、第一接続端子と第二接続端子とに安定してラップして、電流の流れがスムーズになるフック式スイッチ付き電子カードコネクタを提供することにある。
【課題を解決するための手段】
【０００７】
本考案に係るフック式スイッチ付き電子カードコネクタは、本体と、第一接続端子と、第二接続端子と、第三接続端子と、第一スイッチ端子と、第二スイッチ端子と、を備え、前記本体は、電子カード差込穴が開設されており、多数の端子が嵌合されており、前記第一接続端子は、前記本体内に設けられ、回路板の第一接点と連接しており、係り穴が開設されており、前記第二接続端子は、前記本体内に設けられ、回路板の第二接点と連接しており、係り穴が開設されており、前記第三接続端子は、前記本体内に設けられ、回路板の第三接点と連接しており、ラップ部が設けられており、前記第一スイッチ端子は、その中段が前記本体に固定されており、その第一端にはフック付き板が設けられており、前記フック付き板は、弾性を有し、前記第一接続端子の係り穴に係られており、また、その第二端は、電子カードの挿入経路に位置し、前記第二接続端子に対向しており、前記第二接続端子と常には接触せず、前記第二スイッチ端子は、その中段が前記本体に固定されており、その第一端にはフック付き板部が設けられており、前記フック付き板部は、弾性を有し、前記第二接続端子の係り穴に係られており、また、その第二端は、電子カードの挿入経路に位置され、前記第三接続端子のラップ部に対向しており、前記第三接続端子と常には接触せず、前記本体の電子カード差込穴に電子カードを差込んでいるときには、前記第一スイッチ端子の第二端が圧迫されて前記第二接続端子にラップし、且つ前記第二スイッチ端子の第二端が第三接続端子にラップし、このように、回路板の第一接点と第二接点と第三接点とが電気的に連通する。
【０００８】
さらに、本考案に係るフック式スイッチ付き電子カードコネクタにおいて、前記第一スイッチ端子の中段には、前記本体に挿入して前記本体に係止されるための係り片部が凸設されている。
またさらに、本考案に係るフック式スイッチ付き電子カードコネクタにおいて、前記第一スイッチ端子の係り片部の側縁には、戻り止めが凸設されている。
【０００９】
またさらに、本考案に係るフック式スイッチ付き電子カードコネクタにおいて、前記第二スイッチ端子の中段には、前記本体に挿入して前記本体に係止されるための係り片部が凸設されている。
またさらに、本考案に係るフック式スイッチ付き電子カードコネクタにおいて、前記第二スイッチ端子の係り片部の側縁には、戻り止めが凸設されている。
【００１０】
またさらに、本考案に係るフック式スイッチ付き電子カードコネクタにおいて、前記第二接続端子には弾性アームが設けられており、前記弾性アームは、前記第一スイッチ端子の第二端に常時近接しており、常には前記第一スイッチ端子の第二端と接触せず、前記第一スイッチ端子は、挿入されている電子カードに圧迫されて前記第二接続端子へ変位しているときに、前記第一スイッチ端子の第二端が前記第二接続端子の弾性アームに押付けられている。
【００１１】
またさらに、本考案に係るフック式スイッチ付き電子カードコネクタにおいて、前記第三接続端子のラップ板部は、宙に浮いている弾性アームであり、前記第二スイッチ端子の第二端に常時近接しており、常には前記第二スイッチ端子の第二端と接触せず、前記第二スイッチ端子は、挿入されている電子カードに圧迫されて前記第三接続端子へ変位しているときに、前記第二スイッチ端子の第二端が前記第三接続端子のラップ板部に押付けられている。
【００１２】
またさらに、本考案に係るフック式スイッチ付き電子カードコネクタにおいて、前記第一スイッチ端子のフック付き板には、底縁から溝が開設されている。
またさらに、本考案に係るフック式スイッチ付き電子カードコネクタにおいて、前記第二スイッチ端子のフック付き板部には、底縁から溝が開設されている。
【００１３】
（考案の効果）
本考案のフック式スイッチ付き電子カードコネクタによれば、電子カードを挿入しているときには、第一スイッチ端子と第二スイッチ端子との第一端は上に上がらず、第一接続端子と第二接続端子とに安定してラップして、電流の流れがスムーズになるという効果を有する。
【考案を実施するための最良の形態】
【００１４】
（一実施形態）
以下、本考案の実施の形態を図面に基づいて説明する。
図１から図７に示すように、本考案の一実施形態によるフック式スイッチ付き電子カードコネクタは、本体１０と、第一接続端子２０と、第二接続端子３０と、第三接続端子４０と、第一スイッチ端子５０と、第二スイッチ端子６０と、を備える。図１及び図７に示すように、第一スイッチ端子５０の第一端５０ａは、回路板Ｐの第一接点Ｐ１と連接している第一接続端子２０に常時係っており、また、第二スイッチ端子６０の第一端６０ａは、回路板Ｐの第二接点Ｐ２と連接している第二接続端子３０に常時係っており、電子カードＣを挿入しているときには、第一スイッチ端子５０の第一端５０ａと、第二スイッチ端子６０の第一端６０ａとが上がらずに第一接続端子２０と第二接続端子３０とにそれぞれ安定して係っており、電流の流れがスムーズになる。
【００１５】
本実施形態に係るフック式スイッチ付き電子カードコネクタにおいて、本体１０には、電子カード差込穴１１が開設されており、多数の端子１２が嵌合されている。第一接続端子２０は、本体１０内に設けられ、回路板Ｐの第一接点Ｐ１と連接しており、係り穴２１が開設されている。第二接続端子３０は、本体１０内に設けられ、回路板Ｐの第二接点Ｐ２と連接しており、係り穴３１が開設されている。第三接続端子４０は、本体１０内に設けられ、回路板Ｐの第三接点Ｐ３と連接しており、ラップ部４１が設けられている。第一スイッチ端子５０は、その中段が本体１０に固定されており、その第一端５０ａにはフック付き板５１が設けられており、フック付き板５１の側縁にはフック５１１が凸設されており、第一接続端子２０の係り穴２１にフック付き板５１を挿入したとき、フック付き板５１のフック５１１が係り穴２１に係り、そして第一スイッチ端子５０と第一接続端子２０とが電気的に連通するようになる。また、第一スイッチ端子５０の第二端５０ｂは、電子カードＣの差込経路に位置し、第二接続端子３０に対向しており、第二接続端子３０と接触しない。第二スイッチ端子６０は、その中段が本体１０に固定されており、その第一端６０ａにはフック付き板部６１が設けられており、フック付き板部６１の側縁にはフック６１１が設けられており、第二接続端子３０の係り穴３１にフック付き板部６１を挿入したとき、フック付き板部６１のフック６１１が係り穴３１に係る。また、第二スイッチ端子６０の第二端６０ｂは、電子カードＣの差込経路に位置し、第三接続端子４０のラップ板部４１に対向しており、第三接続端子４０と接触しない。本体１０の電子カード差込穴１１に電子カードＣを差込んでいるときには、第一スイッチ端子５０の第二端５０ｂが圧迫されて第二接続端子３０にラップし、且つ第二スイッチ端子６０の第二端６０ｂが第三接続端子４０にラップする。これにより、回路板Ｐの第一接点Ｐ１と第二接点Ｐ２と第三接点Ｐ３とが電気的に連通するようになり、電子カードコネクタと電子カードＣとの接続が完成したと判定することができ、挿入された電子カードＣに記憶された資料を読取ることができる。
【００１６】
図２から図５に示すように、本実施形態に係るフック式スイッチ付き電子カードコネクタは、本体１０には、第一ベース部１３と、第二ベース部１４とが設けられており、第一ベース部１３と第二ベース部１４とには、位置決め穴１３１、１４１がそれぞれ開設されており、これにより、第一スイッチ端子５０と第二スイッチ端子６０との中段が安定して跨ることができる。
【００１７】
本実施形態に係るフック式スイッチ付き電子カードコネクタにおいて、本体１０は、樹脂本体１０ａと、カバー１０ｂとから構成され、各端子１２と第一接続端子２０と第二接続端子３０と第三接続端子４０とが樹脂本体１０ａに埋設され、又は嵌設されている。
図１から図４に示すように、本実施形態に係るフック式スイッチ付き電子カードコネクタは、第一スイッチ端子５０の中段には、本体１０の第一ベース部１３に開設された位置決め穴１３１に挿入して係止されるための係り片部５３が凸設されている（又は、図８に示すように、第一スイッチ端子５０の係り片部５３の側縁には戻り止め部５３１が凸設されてもよい）。本実施形態に係る第一スイッチ端子５０の中段が第一ベース部１３を跨っているときに、第一スイッチ端子５０の第二端５０ｂが宙に浮かんでいる状態になり、且つ第一スイッチ端子５０の第一端５０ａは、前記中段と第一ベース部１３との接触箇所を支点として弾性的に上がる傾向があり、これにより、第一スイッチ端子５０のフック付き板５１に設けられたフック５１１が第一接続端子２０の係り穴２１に係るようになり、ひいては第一スイッチ端子５０と第一接続端子２０とが電気的に連通するようになる。
【００１８】
また、本実施形態に係るフック式スイッチ付き電子カードコネクタは、第二スイッチ端子６０の中段には、本体１０の第二ベース部１４に開設された位置決め穴１４１に挿入して係止されるための係り片部６３が凸設されている（又は、図８に示すように、第二スイッチ端子６０の係り片部６３の側縁には戻り止め部６３１が凸設されてもよい）。本実施形態に係る第二スイッチ端子６０の中段が第二ベース部１４を跨っているときに、第二スイッチ端子６０の第二端６０ｂが宙に浮かんでいる状態になり、且つ第二スイッチ端子６０の第一端６０ａは、中段と第二ベース部１４との接触箇所を支点として弾性的に上がる傾向があり、これにより、第二スイッチ端子６０のフック付き板６１に設けられたフック６１１が第二接続端子３０の係り穴３１に係るようになり、ひいては第二スイッチ端子６０と第二接続端子３０とが電気的に連通するようになる。
【００１９】
図１及び図６に示すように、本実施形態に係る第二接続端子３０には弾性アーム３２が設けられており、弾性アーム３２は、第一スイッチ端子５０の第二端５０ｂに常時近接しており、常には第一スイッチ端子５０の第二端５０ｂと接触せず、第一スイッチ端子５０は、挿入されている電子カードＣに圧迫されて第二接続端子３０へ変位しているときに、第一スイッチ端子５０の第二端５０ｂが第二接続端子３０の弾性アーム３２に押付けられるようになる。
【００２０】
本実施形態に係る第三接続端子４０のラップ板部４１は、宙に浮いている弾性アームであり、第二スイッチ端子６０の第二端６０ｂに常時近接しており、常には第二スイッチ端子６０の第二端６０ｂと接触せず、第二スイッチ端子６０は、挿入されている電子カードＣに圧迫されて第三接続端子４０へ変位しているときに、第二スイッチ端子６０の第二端６０ｂが第三接続端子４０のラップ板部４１に押付けられるようになる。
【００２１】
また、図８に示すように、本実施形態における第一スイッチ端子５０は、第一端５０ａに設けられたフック付き板５１に底縁から溝５２が開設されてもよく、これにより、フック付き板５１の両側が弾性的に圧縮可能であり、第一接続端子２０の係り穴２１にフック付き板５１を挿入して係止することができる。
【００２２】
また、図８に示すように、本実施形態における第二スイッチ端子６０は、第一端６０ａに設けられたフック付き板６１に底縁から溝部６２が開設されてもよく、これにより、フック付き板６１の両側が弾性的に圧縮可能であり、第二接続端子３０の係り穴３１にフック付き板部６１を挿入して係止することができる。
【００２３】
図１、図２、図４及び図７に示すように本実施形態に係るフック式スイッチ付き電子カードコネクタは、本体１０に電子カードＣを挿入しているときには、電子カードＣが、第一スイッチ端子５０の第二端５０ｂを第二接続端子３０に、第二スイッチ端子６０の第二端６０ｂを第三接続端子４０に、順次にラップさせ、そうすると、回路板Ｐにおいて、第一接点Ｐ１と第二接点Ｐ２と第三接点Ｐ３とが電気的に連通するようになり、これにより、電子カードコネクタと電子カードＣとの接続が完成したと判定することができ、また、第一スイッチ端子５０のフック付き板５１が第一接続端子２０に係っており、且つ第二スイッチ端子６０のフック付き板６１が第二接続端子３０に係っているので、第一スイッチ端子５０と第一接続端子２０とは何時でも電気的に連通しており、そして第二スイッチ端子６０と第二接続端子３０とも何時でも電気的に連通しており、これにより、第一接続端子２０と第一接点Ｐ１、第二接続端子３０と第二接点Ｐ２及び第三接続端子４０と第三接点Ｐ３の電気的な連通が確実になり、電子カードコネクタと電子カードＣとの接続が完成したと判定することができる。
なお、本考案は前記実施の形態に限定されるものではなく、本考案の趣旨に基づいて種々変形させることが可能であり、それらを本考案の範囲から排除するものではない。
【図面の簡単な説明】
【００２４】
【図１】本考案の一実施形態によるフック式スイッチ付き電子カードコネクタの一部を示す分解斜視図である。
【図２】本考案の一実施形態によるフック式スイッチ付き電子カードコネクタを示す分解斜視図である。
【図３】本考案の一実施形態によるフック式スイッチ付き電子カードコネクタにおいて、カバーを取り除いた状態を示す斜視図である。
【図４】本考案の一実施形態によるフック式スイッチ付き電子カードコネクタの第一接続端子、第二接続端子、第一スイッチ端子、第二スイッチ端子を示す斜視図である。
【図５】本考案の一実施形態によるフック式スイッチ付き電子カードコネクタを示す斜視図である。
【図６】図５の６−６線に沿う断面図である。
【図７】図６において電子カードが挿入された状態を示す模式図である。
【図８】本考案の一実施形態によるフック式スイッチ付き電子カードコネクタの第一、第二、第三接続端子及び第一、第二スイッチ端子の変形例を示す斜視図である。
【図９】従来のスイッチ付き電子カードコネクタの分解斜視図である。
【図１０】図９の従来のスイッチ付き電子カードコネクタの一部の構造を示す斜視図である。
【図１１】他の従来のスイッチ付き電子カードコネクタを示す分解斜視図である。
【図１２】図１１の他の従来のスイッチ付き電子カードコネクタを示す断面図である。
【図１３】図１２の他の従来のスイッチ付き電子カードコネクタにおける電子カードが挿入された状態を示す模式図である。
【符号の説明】
【００２５】
１０：本体、１０ａ：樹脂本体、１０ｂ：カバー、１１：電子カード差込穴、１２：端子、１３：第一ベース部、１４：第二ベース部、２０：第一接続端子、２１：係り穴、３０：第二接続端子、３１：係り穴、３２：弾性アーム、４０：第三接続端子、４１：ラップ板部、５０：第一スイッチ端子、５０ａ：第一端、５０ｂ：第二端、５１：フック付き板、５２：溝、５３：係り片部、６０：第二スイッチ端子、６０ａ：第一端、６０ｂ：第二端、６１：フック付き板部、６２：溝部、６３：係り片部、８１：本体、８２：第一接続端子、８３：第二接続端子、８４：第三接続端子、８５：第一スイッチ端子、８６：第二スイッチ端子、９１：樹脂本体、９２：鉄製ケース、９３：導電性付き端子、９４：第一スイッチ本体、９５：第二スイッチ本体、９６：バネ、９７：バネ、９８：第一接続端子、９９：第二接続端子、１３１：位置決め穴、１４１：位置決め穴、５１１：フック、５３１：戻り止め部、６１１：フック部、６３１：戻り止め部、８５１：第一端、８５２：第二端、８６１：第一端、８６２：第二端、９４１：第二端、９５１：第二端、Ｃ：電子カード、Ｐ：回路板、Ｐ１：第一接点、Ｐ２：第二接点、Ｐ３：第三接点
【図１】
0003148091.tif 000003
【図２】
0003148091.tif 000004
【図３】
0003148091.tif 000005
【図４】
0003148091.tif 000006
【図５】
0003148091.tif 000007
【図６】
0003148091.tif 000008
【図７】
0003148091.tif 000009
【図８】
0003148091.tif 000010
【図９】
0003148091.tif 000011
【図１０】
0003148091.tif 000012
【図１１】
0003148091.tif 000013
【図１２】
0003148091.tif 000014
【図１３】
0003148091.tif 000015